(57)【要約】【課題】基板を支持台に固定するためのネジ等の部材を配置することなく実現可能な照明用光源を提供する。【解決手段】照明用光源としてのＬＥＤユニット１であって、前方に光を発する発光素子が設けられた実装基板４０と、実装基板４０の後方に配置される支持台２０と、支持台２０とで実装基板４０を前後方向に挟み込むように配置される筐体５０とを備え、筐体５０は、実装基板４０の側方への移動を規制する規制部５６を有する。【選択図】図５
2014143021.tif 000002
【特許請求の範囲】
【請求項１】
前方に光を発する発光素子が設けられた基板と、
前記基板の後方に配置される支持台と、
前記支持台とで前記基板を前後方向に挟み込むように配置される筐体とを備え、
前記筐体は、前記基板の側方への移動を規制する規制部を有する
照明用光源。
【請求項２】
前記規制部は、前記基板の側方に、前記基板を側方から挟むように配置される少なくとも一対の側方規制部を有する
請求項１に記載の照明用光源。
【請求項３】
前記一対の側方規制部は、前記基板に向けて付勢する付勢力によって、前記基板の側方への移動を規制する
請求項２に記載の照明用光源。
【請求項４】
前記一対の側方規制部は、前記基板が前記筐体に配置されていない状態で、一方の側方規制部の先端部が対向する他方の側方規制部に近づくように傾斜して配置されている
請求項３に記載の照明用光源。
【請求項５】
前記基板には、開口部が形成されており、
前記規制部は、前記開口部に挿入される挿入部を有し、
前記挿入部は、前記開口部に挿入されることで、前記基板の側方への移動を規制する
請求項１〜４のいずれか１項に記載の照明用光源。
【請求項６】
前記規制部は、さらに、前記基板の後方への移動を規制する後方規制部を有する
請求項１〜５のいずれか１項に記載の照明用光源。
【請求項７】
前記規制部は、さらに、前記基板の前方への移動を規制する前方規制部を有する
請求項１〜６のいずれか１項に記載の照明用光源。
【請求項８】
前記前方規制部は、前記基板が載置されることで、前記基板の前方への移動を規制する
請求項７に記載の照明用光源。
【請求項９】
前記規制部は、絶縁性の部材である
請求項１〜８のいずれか１項に記載の照明用光源。
【請求項１０】
さらに、
前記基板と前記支持台との間に、前記基板と前記支持台とを接合する放熱性の接合部材を備える
請求項１〜９のいずれか１項に記載の照明用光源。
【請求項１１】
請求項１〜１０のいずれか１項に記載の照明用光源と、当該照明用光源を装着するための照明器具とを備え、
前記照明器具は、
前記照明用光源を覆うように構成された器具本体と、
前記器具本体に取り付けられ、前記照明用光源に給電を行うためのソケットとを有する
照明装置。
【発明の詳細な説明】
【技術分野】
【０００１】
本発明は、光源としてＬＥＤ等の発光素子が用いられる照明用光源及び当該照明用光源を備える照明装置に関する。
【背景技術】
【０００２】
従来、光源として発光ダイオード（ＬＥＤ：Ｌｉｇｈｔ  Ｅｍｉｔｔｉｎｇ  Ｄｉｏｄｅ）が用いられた円盤状または扁平状の照明用光源であるＬＥＤランプが提案されている（例えば、特許文献１参照）。このＬＥＤランプは、一般的に、円盤状または扁平状の筐体を備え、当該筐体内には、ＬＥＤが設けられた基板と、当該基板を載置するための支持台とが配置されている。そして、当該基板は、当該支持台にネジ等の導電性の固定部材によって固定されている。
【先行技術文献】
【特許文献】
【０００３】
【特許文献１】国際公開第２０１２／００５２３９号
【発明の概要】
【発明が解決しようとする課題】
【０００４】
しかしながら、上記従来のＬＥＤランプでは、基板を支持台に固定するためのネジ等の固定部材が必要であるという問題がある。
【０００５】
つまり、当該固定部材が必要であれば、ＬＥＤランプの構成が複雑になり、生産性が低下するとともに、コストが増加する。また、従来、当該固定部材として導電性の部材を用いているため、当該固定部材と基板上の部品等との絶縁距離確保のために、大きいサイズの基板が必要になる。
【０００６】
本発明は、上記問題を解決するためになされたものであり、基板を支持台に固定するためのネジ等の部材を配置することなく実現可能な照明用光源及び照明装置を提供することを目的とする。
【課題を解決するための手段】
【０００７】
上記目的を達成するために、本発明の一態様に係る照明用光源は、前方に光を発する発光素子が設けられた基板と、前記基板の後方に配置される支持台と、前記支持台とで前記基板を前後方向に挟み込むように配置される筐体とを備え、前記筐体は、前記基板の側方への移動を規制する規制部を有する。
【０００８】
また、前記規制部は、前記基板の側方に、前記基板を側方から挟むように配置される少なくとも一対の側方規制部を有することにしてもよい。
【０００９】
また、前記一対の側方規制部は、前記基板に向けて付勢する付勢力によって、前記基板の側方への移動を規制することにしてもよい。
【００１０】
また、前記一対の側方規制部は、前記基板が前記筐体に配置されていない状態で、一方の側方規制部の先端部が対向する他方の側方規制部に近づくように傾斜して配置されていることにしてもよい。
【００１１】
また、前記基板には、開口部が形成されており、前記規制部は、前記開口部に挿入される挿入部を有し、前記挿入部は、前記開口部に挿入されることで、前記基板の側方への移動を規制することにしてもよい。
【００１２】
また、前記規制部は、さらに、前記基板の後方への移動を規制する後方規制部を有することにしてもよい。
【００１３】
また、前記規制部は、さらに、前記基板の前方への移動を規制する前方規制部を有することにしてもよい。
【００１４】
また、前記前方規制部は、前記基板が載置されることで、前記基板の前方への移動を規制することにしてもよい。
【００１５】
また、前記規制部は、絶縁性の部材であることにしてもよい。
【００１６】
また、さらに、前記基板と前記支持台との間に、前記基板と前記支持台とを接合する放熱性の接合部材を備えることにしてもよい。
【００１７】
また、上記目的を達成するために、本発明の一態様に係る照明装置は、上記の照明用光源と、当該照明用光源を装着するための照明器具とを備え、前記照明器具は、前記照明用光源を覆うように構成された器具本体と、前記器具本体に取り付けられ、前記照明用光源に給電を行うためのソケットとを有する。
【発明の効果】
【００１８】
本発明に係る照明用光源及び照明装置によれば、基板を支持台に固定するためのネジ等の部材を配置することなく実現することができる。
【図面の簡単な説明】
【００１９】
【図１Ａ】本発明の実施の形態１に係るＬＥＤユニットの外観を示す斜視図である。
【図１Ｂ】本発明の実施の形態１に係るＬＥＤユニットの外観を示す斜視図である。
【図２】本発明の実施の形態１に係るＬＥＤユニットの構成を示す図である。
【図３】本発明の実施の形態１に係るＬＥＤユニットの構成を示す図である。
【図４】本発明の実施の形態１に係る筐体の構成を示す斜視図である。
【図５】本発明の実施の形態１に係る筐体に実装基板が載置された状態での構成を示す図である。
【図６】本発明の実施の形態１に係る筐体に実装基板が載置された状態での構成を示す図である。
【図７】本発明の実施の形態１に係る筐体に実装基板が載置された状態での構成を示す図である。
【図８】本発明の実施の形態１に係る一対の側方規制部の詳細な構成を示す図である。
【図９】本発明の実施の形態１の変形例１に係る規制部の構成を示す図である。
【図１０】本発明の実施の形態１の変形例２に係る規制部の構成を示す図である。
【図１１】本発明の実施の形態１の変形例３に係る規制部の構成を示す図である。
【図１２】本発明の実施の形態２に係る照明装置の構成を示す断面図である。
【発明を実施するための形態】
【００２０】
以下、本発明の実施の形態に係る照明用光源としてのＬＥＤユニット（ＬＥＤランプ）及び照明装置について、図面を参照して説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。また、各図において、寸法等は厳密には一致しない。
【００２１】
（実施の形態１）
まず、本発明の実施の形態１に係るＬＥＤユニット１の概略構成について、説明する。
【００２２】
図１Ａ及び図１Ｂは、本発明の実施の形態１に係るＬＥＤユニット１の外観を示す斜視図である。具体的には、図１Ａは、ＬＥＤユニット１を斜め上方から見たときの斜視図であり、図１Ｂは、ＬＥＤユニット１を斜め下方から見たときの斜視図である。なお、ＬＥＤユニット１の開口はカバーで塞がれているが、当該カバーは透明な部材であるため、図１Ｂでは、ＬＥＤユニット１の内部が透けて見えている。
【００２３】
ここで、図１Ａでは、ＬＥＤユニット１から光を取り出す側（以下、光照射側という）が下側となるように、また、図１Ｂでは、光照射側が上側となるように図示されている。以下、光照射側を前側（前方）、光照射側と反対側を後側（後方）、前後方向に交差する方向を側方として、説明を行う。
【００２４】
これらの図に示すように、ＬＥＤユニット１は、全体形状が円盤状または扁平状の照明用光源である。具体的には、ＬＥＤユニット１は、例えばＧＨ７６ｐ形の口金を有するＬＥＤランプである。さらに具体的には、ＬＥＤユニット１は、例えば外径が５０ｍｍ〜１００ｍｍ、高さが３０ｍｍ〜５０ｍｍであり、ＬＥＤユニット１が２０Ｗ型のＬＥＤランプの場合には、例えば外径は９０ｍｍ、高さは４５ｍｍである。
【００２５】
また、ＬＥＤユニット１は、照明器具（図示せず）に取り付けられる支持台２０と、発光素子が設けられた実装基板４０と、支持台２０に接続された筐体５０とを備えている。
【００２６】
また、筐体５０の後側の面（照明器具側の面）には、円周状に５つの貫通孔５１（同図では、貫通孔５１ａ〜５１ｅ）が形成されている。そして、当該貫通孔５１には、照明器具と電気的に接続するための電気接続ピン５２が挿入される。なお、同図では、貫通孔５１ａ、５１ｂに電気接続ピン５２ａ、５２ｂが挿入されているが、貫通孔５１ｃ〜５１ｅにも、それぞれ電気接続ピン５２ｃ〜５２ｅ（図示せず）が挿入される。
【００２７】
ここで、例えば、電気接続ピン５２ａ、５２ｂは給電用のピンであり、電気接続ピン５２ｃ、５２ｄは調光用のピンであり、電気接続ピン５２ｅはアース用のピンである。なお、例えば調光を行わない場合には、貫通孔５１ｃ、５１ｄは形成されず、電気接続ピン５２ｃ、５２ｄは挿入されない。また、電気接続ピン５２が挿入されない貫通孔５１は閉じられていてもよいし、当該貫通孔５１が形成されていなくてもよい。
【００２８】
なお、ＬＥＤユニット１の電気接続ピン５２は、ＬＥＤユニット１の筐体５０の後側に設けられているものに限らない。例えば、電気接続ピン５２は、ＬＥＤユニット１の筐体５０の側方に設けられていてもよい。この場合、放熱部材の外径の大きさが電気接続ピン５２によって制限され難く、放熱部材の設計の自由度を向上することができる。
【００２９】
また、電気接続ピン５２は、棒状のものに限らず、板状等の他の形状のものであってもよい。
【００３０】
次に、本発明の実施の形態１に係るＬＥＤユニット１の詳細構成について、説明する。
【００３１】
図２及び図３は、本発明の実施の形態１に係るＬＥＤユニット１の構成を示す図である。具体的には、図２は、ＬＥＤユニット１を前後方向に切断した場合の断面の概略図であり、図３は、ＬＥＤユニット１を分解した場合の各構成要素を示す図である。
【００３２】
これらの図に示すように、ＬＥＤユニット１は、熱伝導シート１０、支持台２０、熱伝導シート３０、実装基板４０、筐体５０、固定用ネジ６０、回路基板７０、反射鏡８０及び透光性カバー９０を備えている。
【００３３】
熱伝導シート１０は、支持台２０の後面に配置され、支持台２０を介して伝達される実装基板４０からの熱を照明器具側に逃がす伝熱性のシートである。具体的には、熱伝導シート１０は、ゴムまたは樹脂製のシートであり、例えばシリコンシートまたはアクリルシートである。
【００３４】
支持台２０は、照明器具に接続される部材である。具体的には、支持台２０の後部には例えばＧＨ７６ｐ形の口金構造が形成され、照明器具に取り付けられ固定される。また、支持台２０は、実装基板４０が取り付けられる台座であって、実装基板４０の光照射側とは反対側（後方）に配置されている。また、支持台２０は、アルミニウムなどの熱伝導性が高い材料で構成することが好ましい。つまり、支持台２０は、実装基板４０の熱を放熱するヒートシンクの役割を担う。
【００３５】
熱伝導シート３０は、実装基板４０と支持台２０とを熱的に接続する熱伝導シートである。つまり、熱伝導シート３０は、実装基板４０からの熱を支持台２０へ効率よく伝達して、当該熱を照明器具側へ逃がすことができる伝熱性のシートである。なお、実装基板４０が金属製の基板の場合には、熱伝導シート３０は、実装基板４０と支持台２０とを絶縁する絶縁シートであるのが好ましい。具体的には、熱伝導シート３０は、ゴムまたは樹脂製のシートであり、例えばシリコンシートまたはアクリルシートである。
【００３６】
なお、熱伝導シート３０は、グリスなど液状の部材などであってもよい。ここで、熱伝導シート３０が液状の部材である場合、放熱性の接着剤等の接合部材であるのが好ましい。このように、実装基板４０と支持台２０との間に、実装基板４０と支持台２０とを接合する放熱性の接合部材を備えることで、実装基板４０を支持台２０に確実に固定するとともに、実装基板４０から支持台２０への放熱性を高めることができる。なお、当該接合部材としては、熱伝導性エポキシ接着剤など、適宜公知の放熱性の接着剤を使用することができる。
【００３７】
実装基板４０は、筐体５０の内方に配置され、半導体発光素子等の発光素子が設けられた基板である。実装基板４０は、例えば、平板状で構成されており、発光素子が搭載される一方の面と支持台２０に対して熱的に接続可能な他の面とを有している。つまり、実装基板４０は、支持台２０と筐体５０とで前後方向に挟み込まれるように、支持台２０と筐体５０との間に配置されている。この実装基板４０が支持台２０と筐体５０とに挟み込まれている構成の詳細な説明については、後述する。
【００３８】
また、実装基板４０は、熱伝導性が高い材料で構成することが好ましく、例えば、アルミナからなるアルミナ基板により構成される。なお、実装基板４０としては、アルミナ基板以外に、窒化アルミニウム等のその他のセラミックス基板、アルミ、銅等の金属基板、あるいは、金属板と樹脂基板との積層構造を有するようなメタルコア基板等を用いてもかまわない。
【００３９】
具体的には、実装基板４０には、前方に光を発する発光素子を有する発光部４１が設けられている。発光部４１は、実装基板４０に実装された単数または複数のＬＥＤチップ（図示せず）と、封止部材（図示せず）とを備えている。ＬＥＤチップは、実装基板４０の一方の面上にダイボンディング等によって実装される。なお、ＬＥＤチップとしては、例えば、中心波長が４４０ｎｍ〜４７０ｎｍの青色光を発光する青色発光ＬＥＤチップが用いられる。また、封止部材は、ＬＥＤチップを封止してＬＥＤチップを保護するとともにＬＥＤチップからの光を波長変換するために、蛍光体を含む樹脂で構成された蛍光体含有樹脂である。封止部材としては、例えば、ＬＥＤチップが青色発光ＬＥＤである場合、白色光を得るために、ＹＡＧ（イットリウム・アルミニウム・ガーネット）系の黄色蛍光体粒子をシリコーン樹脂に分散させた蛍光体含有樹脂を用いることができる。これにより、発光部４１（封止部材）からは、蛍光体粒子によって波長変換された黄色光と青色発光ＬＥＤチップからの青色光とによって白色光が放出される。
【００４０】
また、発光部４１の外径は、例えば５ｍｍ〜５０ｍｍであり、ＬＥＤユニット１が２０Ｗ型のＬＥＤランプの場合には、発光部４１の外径は、例えば２０ｍｍである。
【００４１】
なお、本実施の形態では、丸型の発光部４１を例示したが、本発明において、発光部の形状または構造は丸型のものに限定されない。例えば、角型の発光部を用いてもよい。また、複数のＬＥＤチップの並びは特に限定されず、例えば、ＬＥＤチップをライン状に封止したり、マトリックス状に封止したり、円形状に封止したりすることができる。
【００４２】
筐体５０は、ＬＥＤユニット１の光照射側を囲う、前後方向の長さが短い扁平形状（平盤状）で円筒形状の筐体である。具体的には、筐体５０は、前部及び後部に開口部を有し、後部が、固定用ネジ６０によって支持台２０に固定されており、前部には、透光性カバー９０が取り付けられている。そして、筐体５０の内方には、熱伝導シート３０、実装基板４０、回路基板７０及び反射鏡８０が配置されている。筐体５０は、ＰＢＴ（ポリブチレンテレフタレート）などの絶縁性を有する合成樹脂からなる樹脂筐体で構成される。
【００４３】
また、筐体５０は、図１Ａに示したように、実装基板４０に実装されたＬＥＤチップを発光するための電力を受電する受電部である電気接続ピン５２を有する。つまり、給電用の電気接続ピン５２は、交流電力を受電し、受電した交流電力は、リード線を介して回路基板７０に入力される。なお、筐体５０の構成の詳細な説明については、後述する。
【００４４】
固定用ネジ６０は、筐体５０を支持台２０に固定するためのネジである。なお、筐体５０と支持台２０とは、ネジによって固定されることには限定されない。例えば、筐体５０と支持台２０とが互いに嵌合する部位を有しており、当該部位で嵌合することで、筐体５０が支持台２０に接続されることにしてもよいし、接着剤等によって筐体５０が支持台２０に接着されることにしてもよい。
【００４５】
回路基板７０は、筐体５０内方に配置され、発光素子を駆動させる駆動回路に設けられた回路基板である。ここで、当該駆動回路は、回路基板７０と、回路基板７０に実装された複数の回路素子（電子部品）とによって構成されている。つまり、駆動回路と発光素子とがリード線によって電気的に接続されており、回路基板７０は、当該駆動回路によって発光素子を発光、消光または調光させる。
【００４６】
具体的には、回路基板７０は、ＬＥＤユニット１を前方(光照射側)から見た場合に発光部４１の側方に配置されており、発光部４１が有する発光素子を発光させるための回路素子を有する電源回路基板である。回路基板７０は、円形状の開口が形成された円盤状（ドーナツ形状）の基板であり、筐体５０の内方かつ反射鏡８０の外方に配置されている。そして、筐体５０の内方かつ反射鏡８０の外方のスペースに、回路基板７０に実装された回路素子（電子部品）が配置されている。
【００４７】
つまり、回路基板７０は、金属配線がパターン形成されたプリント基板であり、回路基板７０に実装された複数の回路素子同士を電気的に接続する。本実施の形態において、回路基板７０は、主面がランプ軸と直交する姿勢で配置されている。回路素子は、例えば、各種コンデンサ、抵抗素子、整流回路素子、コイル素子、チョークコイル（チョークトランス）、ノイズフィルタ、ダイオードまたは集積回路素子等である。
【００４８】
また、回路基板７０は、筐体５０の内方の後部に配置されているため、例えば電解コンデンサやチョークコイル等のサイズが大きい回路素子は回路基板７０の前面側に配置されるのが好ましい。なお、本実施の形態では、回路基板７０は、筐体５０の内方かつ反射鏡８０の外方に配置されている形態を示したが、その配置箇所は特に限定されるものではなく、適宜設計すればよい。
【００４９】
なお、回路基板７０は、筐体５０の内方かつ反射鏡８０の外方に配置されている形態においては、サイズが大きい回路素子は、回路基板７０の外側に配置されるのがより好ましい。図２に示すように、反射鏡８０が前方に向かって拡径する形状の場合、回路基板７０の内側に形成される空間よりも回路基板７０の外側に形成される空間のほうが大きくなるためである。
【００５０】
具体的には、回路基板７０には、給電用の電気接続ピン５２から受電した交流電力を直流電力に変換するための回路素子（電子部品）などが実装されている。つまり、回路基板７０の入力部と給電用の電気接続ピン５２とがリード線等によって電気的に接続されており、また、回路基板７０の出力部と実装基板４０の発光部４１とがリード線等によって電気的に接続されている。回路基板７０によって変換された直流電力は、給電端子を介して発光部４１に供給される。
【００５１】
反射鏡８０は、実装基板４０の光照射側に配置され、発光部４１から照射される光を反射する光学部材である。つまり、反射鏡８０は、実装基板４０に設けられた発光部４１の発光素子が発する光を反射して前方に照射する。具体的には、反射鏡８０は、筐体５０の内方かつ発光部４１の前方に発光部４１を囲むように配置され、発光部４１から前方に向かって内径が漸次拡径するように形成された円筒形状の部位を有している。
【００５２】
また、反射鏡８０は、絶縁性を有する白色の合成樹脂材料によって構成されている。反射鏡８０の材質は、ポリカーボネートが好ましいが、ポリカーボネートには限定されない。なお、反射率を向上させるために、反射鏡８０の内面に反射膜をコーティングしてもかまわない。
【００５３】
透光性カバー９０は、筐体５０の内部に配置された部材を保護するために筐体５０の前面に取り付けられて筐体５０の前側の開口部を覆う平盤状の有底円筒形状部材である。透光性カバー９０は、接着剤、複数のリベットまたはネジ等によって、筐体５０の前面に固定されている。また、透光性カバー９０は、実装基板４０に設けられた発光部４１から出射する出射光を透光するように、ポリカーボネートなどの光透過率の高い合成樹脂材料によって構成されている。
【００５４】
なお、透光性カバー９０の内面には、光拡散性を促すための塗料が塗布されていてもよい。また、透光性カバー９０には、蛍光体が含まれていてもよい。この場合、発光部４１から発せられた光の色を透光性カバー９０によって変換することができる。
【００５５】
また、透光性カバー９０の外面には、凹凸（不図示）が形成されていてもよい。この場合、ＬＥＤユニット１を照明器具に取り付ける際、作業者が指を凹凸に引っ掛けてＬＥＤユニットを操作することができ、取り付け作業を容易に行うことができる。
【００５６】
次に、筐体５０の構成について、詳細に説明する。
【００５７】
図４は、本発明の実施の形態１に係る筐体５０の構成を示す斜視図である。具体的には、同図は、筐体５０を斜め後方から見た場合の斜視図である。また、図５〜図７は、本発明の実施の形態１に係る筐体５０に実装基板４０が載置された状態での構成を示す図である。具体的には、図５は、筐体５０に実装基板４０が載置された状態を、斜め後方から見た場合の斜視図である。また、図６は、図５に示した状態を後方から見た場合の平面図であり、図７は、図５に示した状態を側方（図６における上方）から見た場合の平面図である。
【００５８】
まず、図４に示すように、筐体５０は、円環状に構成された筐体側面部５３と、筐体側面部５３の後方に配置され円形状の開口が形成された円盤状の筐体上面部５４とを備えている。つまり、筐体５０は、当該開口が支持台２０とは反対側に配置されるように形成されている。
【００５９】
筐体上面部５４には、固定用ネジ６０を挿入するためのネジ挿入部５４ａ〜５４ｃが形成されている。つまり、３本の固定用ネジ６０をネジ挿入部５４ａ〜５４ｃにそれぞれ挿入して、筐体５０と支持台２０とをネジ止めにより締結する。
【００６０】
また、筐体上面部５４には、実装基板４０を載置し、実装基板４０の前方への移動を規制する載置部５５（本実施の形態では、載置部５５ａ〜５５ｄ）と、実装基板４０の側方への移動を規制する規制部５６（本実施の形態では、側方規制部５６ａ〜５６ｆ）とが設けられている。なお、筐体５０が絶縁性の部材で形成されているため、載置部５５及び規制部５６も、絶縁性の部材である。
【００６１】
図５〜図７に示すように、載置部５５は、実装基板４０の四隅を支えるために、実装基板４０の四隅に対応して後方に突出して配置された突出状の部位である載置部５５ａ〜５５ｄを有している。具体的には、載置部５５ａ〜５５ｄは、筐体上面部５４の中央部に形成された円形状の開口の周縁部に、所定の間隔を空けて設けられた、後方に延びる平板形状の部位である。これにより、載置部５５ａ〜５５ｄは、実装基板４０を載置して、実装基板４０の前方への移動を規制する。なお、載置部５５ａ〜５５ｄの形状は、平板形状には限定されず、円柱形状などであってもよい。
【００６２】
また、載置部５５は、例えば弾性を有する部材で形成されており、実装基板４０が支持台２０と筐体５０とに挟み込まれた状態で、実装基板４０を支持台２０に向けて付勢する。この載置部５５の付勢力によって、実装基板４０を支持台２０に固定することができる。
【００６３】
また、規制部５６は、実装基板４０を側方から挟むように後方に突出して配置された突出状の部位であり、実装基板４０の側方（本実施の形態では、実装基板４０の前後方向と垂直の方向）へ実装基板４０が移動するのを規制する。つまり、規制部５６は、実装基板４０の側方に、実装基板４０を側方から挟むように配置される少なくとも一対の側方規制部を有しており、実装基板４０の面方向へのずれを規制する。
【００６４】
本実施の形態では、規制部５６は、６つの側方規制部５６ａ〜５６ｆ（三対の側方規制部である側方規制部５６ａ及び５６ｂ、側方規制部５６ｃ及び５６ｄ、側方規制部５６ｅ及び５６ｆ）を有している。６つの側方規制部５６ａ〜５６ｆは、実装基板４０を囲むように、所定の間隔を空けて設けられた、後方に延びる平板形状の部位である。なお、側方規制部５６ａ〜５６ｆの形状は、平板形状には限定されず、円柱形状などであってもよい。
【００６５】
具体的には、図６において、一対の側方規制部５６ａ及び５６ｂは、実装基板４０の上部の左右側方に、実装基板４０を当該上部の左右側方から挟むように配置されている。また、一対の側方規制部５６ｃ及び５６ｄは、実装基板４０の下部の左右側方に、実装基板４０を当該下部の左右側方から挟むように配置されている。また、一対の側方規制部５６ｅ及び５６ｆは、実装基板４０の上方及び下方に、実装基板４０を当該上方及び下方から挟むように配置されている。このように、実装基板４０は、側方規制部５６ａ及び５６ｂと側方規制部５６ｃ及び５６ｄとによって左右方向への移動が規制され、側方規制部５６ｅ及び５６ｆによって上下方向への移動が規制される。
【００６６】
また、一対の側方規制部５６ａ及び５６ｂと、一対の側方規制部５６ｃ及び５６ｄと、一対の側方規制部５６ｅ及び５６ｆとは、実装基板４０に向けて付勢する付勢力によって、実装基板４０の側方への移動を規制する。具体的には、一対の側方規制部５６ａ及び５６ｂと、一対の側方規制部５６ｃ及び５６ｄと、一対の側方規制部５６ｅ及び５６ｆとは、実装基板４０が筐体５０に配置されていない状態で、一方の側方規制部の先端部が対向する他方の側方規制部に近づくように傾斜して配置されている。この一対の側方規制部の詳細な構成については、後述する。
【００６７】
図８は、本発明の実施の形態１に係る一対の側方規制部５６ａ及び５６ｂの詳細な構成を示す図である。具体的には、同図は、実装基板４０を筐体５０に配置する工程を説明するための図である。なお、同図では、一対の側方規制部５６ａ及び５６ｂの場合を説明するが、一対の側方規制部５６ｃ及び５６ｄ、一対の側方規制部５６ｅ及び５６ｆの場合についても、一対の側方規制部５６ａ及び５６ｂの場合と同様である。
【００６８】
同図の（ａ）に示すように、まず、載置部５５ａ及び５５ｂと一対の側方規制部５６ａ及び５６ｂとの上方に実装基板４０が配置される。ここで、側方規制部５６ａは、先端部が側方規制部５６ｂに近づくように傾斜して配置されており、側方規制部５６ｂは、先端部が側方規制部５６ａに近づくように傾斜して配置されている。つまり、側方規制部５６ａ及び５６ｂは、ともに、筐体上面部５４に垂直な直線Ａの方向から直線Ｂの方向に傾斜して配置されている。
【００６９】
そして、同図の（ｂ）に示すように、実装基板４０が一対の側方規制部５６ａ及び５６ｂの間に挿入される。これにより、側方規制部５６ａ及び５６ｂは、ともに、直線Ｂの方向から直線Ａの方向へ向くように変形し、側方規制部５６ａ及び５６ｂには、実装基板４０に向けて付勢する付勢力が生じる。
【００７０】
さらに、同図の（ｃ）に示すように、実装基板４０が一対の側方規制部５６ａ及び５６ｂの間に挿入されて、載置部５５ａ及び５５ｂに載置される。ここで、一対の側方規制部５６ａ及び５６ｂは、ともに、直線Ａの方向へ向くように変形しているため、この一対の側方規制部５６ａ及び５６ｂは、実装基板４０に向けて付勢する付勢力によって、実装基板４０の側方への移動を規制することになる。
【００７１】
そして、実装基板４０が筐体５０に配置された後に、実装基板４０の後方に熱伝導シート３０が配置され、支持台２０と筐体５０とが固定される。なお、上述の通り、熱伝導シート３０の代わりに、放熱性の接合部材を実装基板４０の後面に塗布し、支持台２０と筐体５０とで実装基板４０を挟み込むことで、実装基板４０を支持台２０に確実に固定するとともに、実装基板４０から支持台２０への放熱性を高めることができる。
【００７２】
以上のように、本発明の実施の形態１に係るＬＥＤユニット１によれば、筐体５０は、実装基板４０の側方への移動を規制する規制部５６（側方規制部５６ａ〜５６ｆ）を有しており、筐体５０と支持台２０とで、実装基板４０を前後方向に挟み込む。つまり、筐体５０は、規制部５６によって実装基板４０の側方の移動を規制し、支持台２０とで実装基板４０の前後方向の移動を規制することで、実装基板４０を固定することができる。これにより、実装基板４０を支持台２０に固定するためのネジ等の部材を配置することなくＬＥＤユニット１を実現することができる。
【００７３】
なお、支持台２０は、実装基板４０からの放熱性を高めるために、金属製の部材で構成されているのが好ましい。しかし、上記のような規制部を支持台２０に形成した場合には、当該規制部が金属で形成されるため、当該規制部と実装基板４０上の部品等との絶縁距離確保のために、大きいサイズの実装基板４０が必要になる。このため、筐体５０が規制部５６を有していることで、実装基板４０のサイズを大きくすることなく、実装基板４０を支持台２０に固定することができる。
【００７４】
また、規制部５６は、実装基板４０の側方に、少なくとも一対の側方規制部（本実施の形態では、三対の側方規制部である側方規制部５６ａ及び５６ｂ、側方規制部５６ｃ及び５６ｄ、側方規制部５６ｅ及び５６ｆ）を有している。このため、当該一対の側方規制部で実装基板４０を側方から挟み込むことにより、実装基板４０の側方の移動を確実に規制することができる。
【００７５】
また、当該一対の側方規制部は、実装基板４０に向けて付勢する付勢力によって、実装基板４０の側方への移動を規制するため、実装基板４０の側方の移動をさらに確実に規制することができる。
【００７６】
また、当該一対の側方規制部は、実装基板４０が筐体５０に配置されていない状態で、一方の側方規制部の先端部が対向する他方の側方規制部に近づくように傾斜して配置されている。このように、一対の側方規制部を簡易に構成して、実装基板４０の側方の移動を規制することができる。
【００７７】
また、規制部５６は、絶縁性の部材であるため、実装基板４０のサイズを大きくして規制部５６と実装基板４０上の部品等との絶縁距離を確保する必要がない。
【００７８】
（実施の形態１の変形例１）
次に、上記実施の形態１の変形例１について説明する。上記実施の形態１では、規制部５６は、実装基板４０の側方への移動を規制する側方規制部５６ａ〜５６ｆを有していることとした。しかし、本変形例では、規制部は、さらに、実装基板４０の後方への移動を規制する後方規制部を有している。
【００７９】
図９は、本発明の実施の形態１の変形例１に係る規制部５７の構成を示す図である。具体的には、同図は、規制部５７が設けられた筐体に実装基板４０が載置された状態を、側方から見た場合の平面図である。
【００８０】
同図に示すように、規制部５７は、実装基板４０の側方への移動を規制する側方規制部５７ａに加えて、実装基板４０の後方への移動を規制する後方規制部５７ｂを有している。後方規制部５７ｂは、対向する規制部５７に向けて突出した突出状の部位であり、当該突出状の部位の前面が実装基板４０の後面に当接することによって、実装基板４０の後方への移動を規制する。
【００８１】
なお、側方規制部５７ａは、上記実施の形態１における側方規制部５６ａ〜５６ｆと同様のため、詳細な説明は省略する。また、本変形例に係るＬＥＤユニットのその他の構成についても、上記実施の形態１と同様であるため、詳細な説明は省略する。
【００８２】
以上、本発明の実施の形態１の変形例１に係るＬＥＤユニットによれば、規制部５７は、側方規制部５７ａを有しているため、上記実施の形態１と同様の効果を奏するとともに、後方規制部５７ｂも有するため、実装基板４０の後方への移動も規制することができる。
【００８３】
（実施の形態１の変形例２）
次に、上記実施の形態１の変形例２について説明する。上記実施の形態１の変形例１では、規制部５７は、実装基板４０の側方への移動を規制する側方規制部５７ａと、実装基板４０の後方への移動を規制する後方規制部５７ｂとを有していることとした。しかし、本変形例では、規制部は、さらに、実装基板４０の前方への移動を規制する前方規制部を有している。
【００８４】
図１０は、本発明の実施の形態１の変形例２に係る規制部５８の構成を示す図である。具体的には、同図は、規制部５８が設けられた筐体に実装基板４０が載置された状態を、側方から見た場合の平面図である。
【００８５】
同図に示すように、規制部５８は、実装基板４０の側方への移動を規制する側方規制部５８ａと、実装基板４０の後方への移動を規制する後方規制部５８ｂとに加えて、実装基板４０の前方への移動を規制する前方規制部５８ｃを有している。前方規制部５８ｃは、実装基板４０が載置されることで、実装基板４０の前方への移動を規制する部位である。具体的には、前方規制部５８ｃは、対向する規制部５８に向けて突出した突出状の部位であり、当該突出状の部位の後面が実装基板４０の前面に当接することによって、実装基板４０の前方への移動を規制する。
【００８６】
つまり、規制部５８が設けられた筐体においては、実装基板４０の前方への移動を規制する機能と、載置部５５のように実装基板４０を載置する機能とを兼ね備えた、前方規制部５８ｃが設けられている。
【００８７】
なお、側方規制部５８ａ及び後方規制部５８ｂは、上記実施の形態１の変形例１における側方規制部５７ａ及び後方規制部５７ｂと同様のため、詳細な説明は省略する。また、本変形例に係るＬＥＤユニットのその他の構成についても、上記実施の形態１と同様であるため、詳細な説明は省略する。
【００８８】
以上、本発明の実施の形態１の変形例２に係るＬＥＤユニットによれば、規制部５８は、側方規制部５８ａ及び後方規制部５８ｂを有しているため、上記実施の形態１の変形例１と同様の効果を奏するとともに、前方規制部５８ｃも有するため、実装基板４０の前方への移動も規制することができる。これにより、本変形例に係るＬＥＤユニットによれば、上記実施の形態１及びその変形例１のように載置部５５を有している必要がない。つまり、前方規制部５８ｃは、載置部５５の機能も兼ね備えているため、実装基板４０が支持台２０と筐体とに挟み込まれた状態で、実装基板４０を支持台２０に向けて付勢する機能も有する。この前方規制部５８ｃの付勢力によって、実装基板４０を支持台２０に固定することができる。
【００８９】
なお、規制部５８は、後方規制部５８ｂを有しておらず、側方規制部５８ａ及び前方規制部５８ｃのみ有している構成でもかまわない。
【００９０】
（実施の形態１の変形例３）
次に、上記実施の形態１の変形例３について説明する。上記実施の形態１では、規制部５６は、実装基板４０の側方に実装基板４０を挟むように配置されることで、実装基板４０の側方への移動を規制することとした。しかし、本変形例では、規制部は、実装基板４０に形成された開口部に挿入されることで、実装基板４０の側方への移動を規制する。
【００９１】
図１１は、本発明の実施の形態１の変形例３に係る規制部５９の構成を示す図である。具体的には、同図は、規制部５９が設けられた筐体に実装基板４０が載置された状態を、側方から見た場合の平面図である。
【００９２】
同図に示すように、実装基板４０には、開口部４２が形成されている。また、規制部５９は、開口部４２に挿入される挿入部５９ａを有している。挿入部５９ａは、先端ほど細くなるように形成された棒状部材である。これにより、挿入部５９ａは、開口部４２に挿入されることで、実装基板４０の側方への移動を規制する。
【００９３】
なお、開口部４２及び挿入部５９ａの形状は、互いに嵌合するように対応した形状であればよく、特に限定されない。例えば、開口部４２は、同図の（ａ）に示すように、円形状の開口部４２ａでもよいし、同図の（ｂ）に示すように、切欠き状の開口部４２ｂでもよいし、同図の（ｃ）に示すように、矩形状の開口部４２ｃでもよい。また、挿入部５９ａは、同図の（ａ）及び（ｂ）に示すように、断面形状が円形状の棒状部材である挿入部５９ｂであってもよいし、同図の（ｃ）に示すように、断面形状が矩形状の棒状部材である挿入部５９ｃであってもよい。
【００９４】
ここで、規制部５９は、挿入部５９ａの断面形状が矩形状など円形状でない場合には、実装基板４０の回転を規制することができる。このため、この場合には、本変形例に係るＬＥＤユニットにおいては、複数の規制部５９が設けられる必要はなく、１つの規制部５９が設けられていればよい。
【００９５】
なお、本変形例に係るＬＥＤユニットのその他の構成については、上記実施の形態１と同様であるため、詳細な説明は省略する。
【００９６】
以上、本発明の実施の形態１の変形例３に係るＬＥＤユニットによれば、規制部５９に形成された挿入部５９ａが、実装基板４０に形成された開口部４２に挿入されることで、実装基板４０の側方への移動を規制する。これにより、実装基板４０の側方の移動を確実に規制することができ、上記実施の形態１と同様の効果を奏することができる。なお、本変形例において、上記変形例１または２と同様の変形を施してもかまわない。
【００９７】
（実施の形態２）
次に、本発明の実施の形態２に係る照明装置１００について、説明する。
【００９８】
図１２は、本発明の実施の形態２に係る照明装置１００の構成を示す断面図である。なお、本実施の形態に係る照明装置では、上記実施の形態１に係るＬＥＤユニット１を用いている。したがって、同図において、上記実施の形態１で示した構成要素と同じ構成要素には同じ符号を付している。
【００９９】
同図に示すように、照明装置１００は、例えばダウンライトであり、照明器具１０１と、上記実施の形態１に係るＬＥＤユニット１とを備えている。照明器具１０１は、反射板１０２と放熱部材１０４とからなりＬＥＤユニット１を覆うように構成された器具本体と、当該器具本体に取り付けられたソケット１０３とを備えている。
【０１００】
反射板１０２は、上面に円形の開口が形成された略カップ形状であってＬＥＤユニット１の側方を囲うように構成されている。具体的には、反射板１０２は、上面が円形の開口が形成された円形の平板部で構成され、この平板部の周縁から下方に向かって内径が漸次拡大するように形成された円筒部を備えている。当該円筒部は、光照射側に開口を有し、また、ＬＥＤユニット１からの光を反射するように構成されている。例えば、反射板１０２は、絶縁性を有する白色の合成樹脂によって構成されている。なお、反射率を向上させるために、反射板１０２の内面に反射膜をコーティングしても構わない。なお、反射板１０２は、合成樹脂製のものに限定されず、金属板をプレス加工して形成されたような金属製の反射板を用いてもよい。
【０１０１】
ソケット１０３は、ＧＨ７６ｐ形口金に対応しているものであり、ＬＥＤユニット１に対して交流電力を供給する円盤状の部材である。ソケット１０３は、上部が反射板１０２の上面の平板部に形成された開口内方に挿入されるように配置されている。ソケット１０３の中央には、支持台２０の口金形状に対応した形状の開口部が形成されており、この開口部にＬＥＤユニット１を取り付けることで、ＬＥＤユニット１の上面と放熱部材１０４の下面とを熱的に接続させる。また、ソケット１０３の下部の筐体５０の電気接続ピン５２に対応した位置には、電気接続ピン５２が挿入される接続孔が形成されている。
【０１０２】
放熱部材１０４は、ＬＥＤユニット１から伝達される熱を放熱する部材である。放熱部材１０４は、反射板１０２の上面及びソケット１０３の上面に当接して配置されている。放熱部材１０４は、アルミニウムなどの熱伝導性が高い材料で構成することが好ましい。
【０１０３】
なお、ＬＥＤユニット１は、ソケット１０３に対して着脱可能に取り付けられている。
【０１０４】
以上のように、本発明の実施の形態２に係る照明装置１００によれば、上記実施の形態１に係るＬＥＤユニット１を備えているため、上記実施の形態１と同様の効果を奏する。なお、本実施の形態において、上記実施の形態及びその変形例と同様の変形を施してもかまわない。
【０１０５】
以上、本発明の実施の形態及びその変形例に係る照明用光源としてのＬＥＤユニット及び照明装置について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１０６】
また、上記実施の形態及び上記変形例を任意に組み合わせて構築される形態も、本発明の範囲内に含まれる。また、上記実施の形態及びその変形例の部分的な構成を、適宜組み合わせてなる構成であってもよい。
【０１０７】
例えば、上記実施の形態及びその変形例では、筐体は、円筒形状部材であることとしたが、これに限らない。例えば、四角柱、五角柱、六角柱あるいは八角柱等の多角柱形状又は円錐台形状で構成してもかまわない。
【０１０８】
また、上記実施の形態及びその変形例では、熱伝導シート３０、実装基板４０、回路基板及び反射鏡８０は筐体の内方に配置されていることとしたが、これらの全部または一部が、筐体の外方に配置されていることにしてもよい。
【０１０９】
また、上記実施の形態及びその変形例において、発光部４１からの光を集光するためのレンズやリフレクタ等の光学部品、または、色調調節のための光学フィルタ等を用いてもよい。但し、これらの部品は、本発明の必須の構成ではない。
【０１１０】
また、上記の実施の形態及び変形例では、発光部４１は実装基板４０上にＬＥＤチップを直接実装したＣＯＢ型の構成としたが、これに限らない。例えば、樹脂成型されたキャビティの中にＬＥＤチップを実装して当該キャビティ内を蛍光体含有樹脂を封入したパッケージ型のＬＥＤ素子を用いて、このＬＥＤ素子を基板上に複数個実装することで構成された表面実装型（ＳＭＤ：Ｓｕｒｆａｃｅ  Ｍｏｕｎｔ  Ｄｅｖｉｃｅ）の発光部を用いてもかまわない。
【０１１１】
また、上記の実施の形態及び変形例では、発光部４１は、青色発光ＬＥＤと黄色蛍光体とによって白色光を放出するように構成したが、これに限らない。例えば、赤色蛍光体及び緑色蛍光体を含有する蛍光体含有樹脂を用いて、これと青色発光ＬＥＤと組み合わせることによりに白色光を放出するように構成してもかまわない。
【０１１２】
また、発光部４１は、青色以外の色を発光するＬＥＤを用いてもかまわない。例えば、ＬＥＤとして紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１１３】
また、上記の実施の形態及び変形例では、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）又は無機ＥＬ等の発光素子を用いてもよい。
【産業上の利用可能性】
【０１１４】
本発明に係る照明用光源は、例えばＧＨ７６ｐ形の口金を有するＬＥＤユニット（ＬＥＤランプ）等として、広く利用することができる。
【符号の説明】
【０１１５】
１  ＬＥＤユニット
１０  熱伝導シート
２０  支持台
３０  熱伝導シート
４０  実装基板
４１  発光部
４２、４２ａ、４２ｂ、４２ｃ  開口部
５０  筐体
５１、５１ａ〜５１ｅ  貫通孔
５２、５２ａ〜５２ｅ  電気接続ピン
５３  筐体側面部
５４  筐体上面部
５４ａ〜５４ｃ  ネジ挿入部
５５、５５ａ〜５５ｄ  載置部
５６、５７、５８、５９  規制部
５６ａ〜５６ｆ、５７ａ、５８ａ  側方規制部
５７ｂ、５８ｂ  後方規制部
５８ｃ  前方規制部
５９ａ、５９ｂ、５９ｃ  挿入部
６０  固定用ネジ
７０  回路基板
８０  反射鏡
９０  透光性カバー
１００  照明装置
１０１  照明器具
１０２  反射板
１０３  ソケット
１０４  放熱部材
【図１Ａ】
2014143021.tif 000003
【図１Ｂ】
2014143021.tif 000004
【図２】
2014143021.tif 000005
【図３】
2014143021.tif 000006
【図４】
2014143021.tif 000007
【図５】
2014143021.tif 000008
【図６】
2014143021.tif 000009
【図７】
2014143021.tif 000010
【図８】
2014143021.tif 000011
【図９】
2014143021.tif 000012
【図１０】
2014143021.tif 000013
【図１１】
2014143021.tif 000014
【図１２】
2014143021.tif 000015